(57)【特許請求の範囲】
【請求項１】
レーザー光を照射する光源と、
前記光源から放射された前記レーザー光の進行方向を変化させる回折格子と、
前記回折格子の前記光源に対する相対位置を変化させることにより、前記回折格子を通過した前記レーザー光の光照射領域の照射対象における位置を変化させ、
前記回折格子が板状部材に設けられており、前記板状部材を回転させることにより、前記回折格子の前記光源に対する相対位置を変化させ、
前記板状部材は、第１の回折格子と第２の回折格子とを異なる領域に備えており、前記第１の回折格子と前記第２の回折格子とは、前記レーザー光を通過させることにより前記照射対象の表面に形成する、第１の光照射領域の模様と第２の光照射領域の模様が異なることを特徴とする動物忌避装置。
【請求項２】
前記光源が複数である請求項１に記載の動物忌避装置。
【請求項３】
複数の前記光源は、波長の異なる前記レーザー光を照射する光源を含んでいる、請求項２に記載の動物忌避装置。
【請求項４】
複数の前記光源は、波長が異なる前記レーザー光を出射する２種類の光源をそれぞれ二つ備えており、同波長の前記レーザー光を出射する二つの前記光源から出射される前記レーザー光は、一方が前記第１の回折格子を通過可能な状態において、他方が前記第２の回折格子を通過可能である、請求項２に記載の動物忌避装置。
【請求項５】
請求項１から請求項４のいずれか一項に記載される動物忌避装置を天井または壁に取り付けて、前記動物忌避装置により、照射対象物の表面に形成される前記レーザー光の光照射領域を変位させる、動物忌避方法。
【請求項６】
前記動物忌避装置により、ステンレス製の屋内配置物に対して前記レーザー光を照射し、前記照射対象物の表面に形成される前記屋内配置物から反射された反射レーザー光の光照射領域を変位させる、請求項５に記載の動物忌避方法。
【発明の詳細な説明】
【技術分野】
【０００１】
本発明は、動物忌避装置および動物忌避方法に関し、具体的には、例えば、夜間に屋内の配置物や屋外の耕作地などに被害を及ぼす動物が忌避するような光を放出する装置に関する。
【背景技術】
【０００２】
特許文献１には、光源と、前記光源から放射された光の一部を集光させる集光部と、前記集光部の光源に対する相対位置を変化させて、床に形成される集光部からの光の光照射領域を変位させる第１変位部と、を備え、前記集光部は、凸レンズを備える動物忌避装置が記載されている。特許文献１に記載の動物忌避装置は、光源から放射された光を集光部の備える凸レンズによって集光して、床面や壁面に光照射領域を形成するものである。このため、光の光照射領域を変位させるための機構を小さくして装置を小型化することが困難であった。
【先行技術文献】
【特許文献】
【０００３】
【特許文献１】特許第６３８７５０１号公報
【発明の開示】
【発明が解決しようとする課題】
【０００４】
本発明は、光の光照射領域を変位させる新たな機構を備えた、小型化に適した動物忌避装置および動物忌避方法を提供することを目的とする。
【課題を解決するための手段】
【０００５】
上記課題を解決するために提供される本発明は次のとおりである。
〔１〕レーザー光を照射する光源と、前記光源から放射された前記レーザー光の進行方向を変化させる回折格子と、前記回折格子の前記光源に対する相対位置を変化させることにより、前記回折格子を通過した前記レーザー光の光照射領域の照射対象における位置を変化させ、前記回折格子が板状部材に設けられており、前記板状部材を回転させることにより、前記回折格子の前記光源に対する相対位置を変化させ、前記板状部材は、第１の回折格子と第２の回折格子とを異なる領域に備えており、前記第１の回折格子と前記第２の回折格子とは、前記レーザー光を通過させることにより前記照射対象の表面に形成する、第１の光照射領域の模様と第２の光照射領域の模様が異なることを特徴とする動物忌避装置。
【０００７】
〔２〕前記光源が複数である〔１〕に記載の動物忌避装置。
〔３〕複数の前記光源は、波長の異なる前記レーザー光を出射する光源を含んでいる、〔２〕に記載の動物忌避装置。
【０００８】
〔４〕複数の前記光源は、波長が異なる前記レーザー光を出射する２種類の光源をそれぞれ二つ備えており、同波長の前記レーザー光を出射する二つの前記光源から出射される前記レーザー光は、一方が前記第１の回折格子を通過可能な状態において、他方が前記第２の回折格子を通過可能である、〔２〕に記載の動物忌避装置。
【０００９】
〔５〕〔１〕から〔４〕のいずれか一項に記載される動物忌避装置を天井または壁に取り付けて、前記動物忌避装置により、照射対象物の表面に形成される前記レーザー光の光照射領域を変位させる、動物忌避方法。
〔６〕前記動物忌避装置により、ステンレス製の屋内配置物に対してレーザー光を照射し、屋内配置物の表面における光照射領域を変位させると同時に、前記屋内配置物から反射された反射レーザー光の前記照射対象物の表面に形成される光照射領域を変位させる、〔５〕に記載の動物忌避方法。
【発明の効果】
【００１０】
本発明によれば、レーザー光を照射する光源と回折格子とを組み合わせることにより、光照射領域を変位させるための回転機構を小さくできるから、小型化に適した動物排除装置を提供することが可能である。また、本発明の動物排除装置を用いることにより、屋内の配置物に被害を与える動物を屋内から追い出したり、屋外の耕作地などに動物が近づかないようにしたりすることが実現される。本発明により動物忌避方法も提供される。
【図面の簡単な説明】
【００１１】
【図１】（ａ）第１の実施形態に係る動物忌避装置の構造を説明する図であり、（ｂ）動物忌避装置が照射対象物の表面に形成する光照射領域の模様を示す図である。
【図２】（ａ）第１の実施形態に係る動物忌避装置の要部構造および動作を示す図であり、（ｂ）動物忌避装置が照射対象物の表面に形成する光照射領域が移動する様子を示す図である。
【図３】（ａ）第２の実施形態に係る動物忌避装置の要部構造を示す図であり、（ｂ）動物忌避装置が照射対象物の表面に形成する光照射領域の模様を示す図である。
【図４】（ａ）第３の実施形態に係る動物忌避装置の要部構造を示す図であり、（ｂ）動物忌避装置が照射対象物の表面に形成する光照射領域の模様を示す図である。
【図５】（ａ）（ｂ）（ｃ）第３の動物忌避装置が照射対象物の表面に形成する光照射領域を示す図である。
【図６】第４の実施形態に係る、屋内における動物忌避方法の実施態様を説明する図である。
【図７】第４の実施形態に係る、ステンレス製の屋内配置物に対して光を照射する動物忌避方法の実施態様を説明する図である。
【発明を実施するための最良の形態】
【００１２】
以下、本発明の実施形態を図面に基づいて説明する。なお、以下の説明では、同一の部材には同一の符号を付し、一度説明した部材については適宜その説明を省略する。
【００１３】
図１（ａ）は本発明の一実施形態に係る動物忌避装置の構造および動作を説明する図であり、図１（ｂ）は動物忌避装置が照射対象物の表面に形成する光照射領域の模様を示す図である。
【００１４】
図１（ａ）および図１（ｂ）に示される動物忌避装置１０は、レーザー光Ｌを照射する光源１１と、光源から放射されたレーザー光Ｌの進行方向を変化させる回折格子１２を有する板状部材１３とを備えている。板状部材１３は、回転機構１４を介して本体１５に取り付けられており、本体１５は取付部材１６を用いて天井Ｓに設置されている。回転機構１４により板状部材１３を回転することにより、回折格子１２の光源１１に対する相対位置を変化させることができる。これにより、回折格子１２を通過したレーザー光の床面Ｆにおける光照射領域ＳＰ１の位置を変化させることができる。
【００１５】
図１（ａ）には、光源１１から出射されるレーザー光の光軸ＡｘがＹ軸と平行になるように動物忌避装置１０が設けられた場合を示している。この場合、動物忌避装置１０の板状部材１３は、その面がＸＺ平面と平行な状態を維持したまま、光軸Ａｘ（Ｙ軸）に平行な方向を回転軸として回転する。光軸Ａｘと、板状部材１３の回転軸と、Ｙ軸との関係は、これに限られるものではなく。レーザー光の光軸ＡｘがＹ軸と交差するように動物忌避装置１０を設けてもよく、また、回転軸が光軸Ａｘと平行とならないように板状部材１３を設けてもよい。
【００１６】
板状部材１３には、レーザー光Ｌが通過する領域に回折格子１２が設けられている。このため、光源１１から照射されたレーザー光Ｌは、回折格子１２を通過することにより、照射対象である床面Ｆに光照射領域ＳＰ１の模様を形成する。ここで、「模様」とは、床面Ｆの表面（ＸＺ平面）に二次元的にすなわちＸ軸方向およびＺ軸方向の両方向に広がるように形成された光照射領域ＳＰ１をいう。このため、例えば、一つの直線のみからなる光照射領域ＳＰ１は「模様」には含まれない。
【００１７】
図１（ｂ）には、光照射領域ＳＰ１がＸ軸方向とＹ軸方向とに均等に広がった例を示したが、模様は均等に広がったものでなくても良い。しかし、広い範囲で動物忌避効果を発揮する観点から、均等に広がった模様が好ましい。例えば、光照射領域ＳＰ１におけるＸ軸方向の幅（ＷＸ）とＹ軸方向の幅（ＷＹ）とアスペクト比（ＷＸ／ＷＹ）は、０．５〜２程度が好ましい。
【００１８】
図２（ａ）は動物忌避装置の要部の構造を示す図であり、図２（ｂ）は動物忌避装置が照射対象物の表面に形成する光照射領域ＳＰ１が移動する様子を示す図である。図２（ｂ）では、光照射領域ＳＰ１の模様が移動する軌跡を白抜きの丸で示している。
【００１９】
板状部材１３は回転機構１４により回転されることにより、光源１１に対する回折格子１２の相対位置が変化する。これにより、床面Ｆにおける光照射領域ＳＰ１の位置が移動して、例えば、図２（ｂ）に示すような軌跡を形成する。回折格子１２は、レーザー光が通過する領域に設けられていればよく、板状部材１３の全体に設けられる必要はない。
【００２０】
光照射領域ＳＰ１の模様が、軌跡を形成するように床面Ｆを移動することにより、効果的に動物を忌避させることができる。忌避対象となる動物には、ネズミやモグラなどの哺乳類やカラスなどの鳥類のみならず、ゴキブリやハエなどの昆虫類やクモ類を含む節足動物も含まれる。光照射領域ＳＰ１が床面Ｆを動き回ると、忌避対象の動物は、光照射領域ＳＰ１を自らの捕食者や駆除物などと誤認し、床面Ｆに近づくことが困難になる。
【００２１】
また、回折格子１２を備えた板状部材１３は、小さく軽い部材で構成することが容易である。このため、床面Ｆにおける光照射領域ＳＰ１の位置を移動させる際の回転機構１４にかかる負荷が小さくなる。したがって、動物忌避装置１０の耐久性および信頼性を高くするために有用である。また、回折格子１２を備えた板状部材１３を用いることにより動物忌避装置１０を小型化することができる。
【００２２】
光照射領域ＳＰ１は、図２（ｂ）に示す移動可能な領域（移動領域）の全部を移動する必要はない。例えば、光源１１が点滅することにより、光照射領域ＳＰ１が移動領域の一部を移動するようにしてもよい。この点滅を不規則に行えば、光照射領域ＳＰ１が領域内のみを移動することを忌避対象の動物が気付きにくくなり、動物を忌避する効果高まる場合もある。
【００２３】
なお、本実施形態に係る動物忌避装置１０は、光源１１および板状部材１３を、レーザー光Ｌを出射可能な状態で取り囲む筐体をさらに備えていてもよい。筐体により光源１１からの漏れ光を防ぐことが可能になるから、集光性の動物（昆虫など）が動物忌避装置１０に近づくことを防止できる。
【００２４】
（第２の実施形態）
本実施形態の動物忌避装置１０Ａは、板状部材１３が回折格子を通過した光の光照射領域により形成される模様が異なる回折格子（第１の回折格子）１２Ａと回折格子（第２の回折格子）１２Ｂとを備えている点、および、２つの光源１１を備えている点において、図１に示される動物忌避装置１０と相違する。
【００２５】
図３（ａ）は本発明の他の一実施形態に係る動物忌避装置の要部構造を示す図であり、図３（ｂ）は動物忌避装置が照射対象物の表面に形成する光照射領域の模様を示す図である。
【００２６】
図３（ａ）に示すように、光源１１からのレーザー光が回折格子１２Ａを通過した場合と、光源１１からのレーザー光が回折格子１２Ｂを通過した場合とで、異なる模様が床面Ｆ（図１参照）に形成される。図３（ｂ）では、一例として光照射領域ＳＰ１が小さな点が放射状に並んだ模様を形成し、光照射領域ＳＰ２が４つの輪が均等にならんだ模様を形成する場合を示している。回転機構１４により板状部材１３を回転させることにより、光照射領域ＳＰ１の模様と、光照射領域ＳＰ２の模様とが、床面Ｆを移動する。
【００２７】
このように、各光源１１に対向する各領域に回折格子１２Ａと回折格子１２Ｂとを設けることで、異なる模様を床面Ｆに同時に形成できる。これにより、動物の忌避効果を向上させることができる。
【００２８】
また、光照射領域ＳＰ１と光照射領域ＳＰ２とが異なった軌跡で移動するように回折格子１２Ａと回折格子１２Ｂとを設計してもよい。これにより、床面Ｆにおけるレーザー光Ｌの模様の動きが複雑になるから、忌避対象動物に対する忌避効果を高めることができる。なお、本実施形態では、２つの光源１１を同じもので構成した例を説明したが、波長の異なるレーザー光を照射するものを用いてもよい。
【００２９】
（第３の実施形態）
本実施形態の動物忌避装置１０Ｂは、波長が異なるレーザー光を出射する２種類の光源１１Ａおよび光源１１Ｂをそれぞれ二つずつ、合計４つの光源を備えている点において、図３に示す動物忌避装置１０Ａと相違している。
【００３０】
光源１１Ａと光源１１Ｂとは異なる波長（色）のレーザー光を出射するものであり、二つの光源１１Ａから出射されるレーザー光は、一方が回折格子１２Ａを通過可能であると同時に、他方が回折格子１２Ｂを通過可能に構成されている。また、二つの光源１１Ｂから出射されるレーザー光Ｌも、光源１１Ａから出射さされるレーザー光Ｌ同様に、一方が回折格子１２Ａを通過可能である状態において、他方が回折格子１２Ｂを通過可能に構成されている。
【００３１】
図４（ａ）は、本実施形態に係る動物忌避装置１０Ｂの要部構造を示す図であり、図４（ｂ）は、動物忌避装置１０Ｂが床面Ｆ（図１参照）の表面に形成する光照射領域ＳＰ１および光照射領域ＳＰ２の模様を示す図である。
【００３２】
図４（ａ）に示すように、光源１１Ａと光源１１Ｂとは、回折格子１２Ａを通過させたレーザー光を出射可能な位置に一つずつ設けられている。また、回折格子１２Ｂを通過させたレーザー光を出射可能な位置にも、光源１１Ａと光源１１Ｂとが一つずつ設けられている。この構成により、回折格子１２Ａおよび回折格子１２Ｂのいずれも、光源１１Ａまたは光源１１Ｂから選択的にレーザー光を出射することができる。
【００３３】
回折格子１２Ａと回折格子１２Ｂのそれぞれについて、光源１１Ａまたは光源１１Ｂのいずれからレーザー光を出射するかによって、図４（ｂ）および図５（ａ）〜図５（ｃ）に示すレーザー光と模様との四つの組み合わせを容易に変更することができる。これにより、忌避対象動物に適した組合せを選択することにより忌避効果を高めたり、多様なパターンを用いることにより忌避効果を長期間維持したりすることができる。
【００３４】
上述した実施形態では、レーザー光を出射する光源のみを用いる態様について説明したが、レーザー光を出射する光源に加えて、レーザー光以外の光を出射する光源を併用してもよい。このような光源として、例えば、ＬＥＤランプが挙げられる。レーザー光を出射する光源とＬＥＤランプとを併用することにより、照射パターンをより多様化することができる。
【００３５】
以上説明したように、本発明によれば、例えば、屋内の動物が屋内に留まることができない、あるいは、屋外の耕作地などに侵入することができない程度に驚かせる動物忌避装置を提供することが可能になる。
【００３６】
（第４の実施形態）
本実施形態では、上述した本発明の動物忌避装置を用いた動物忌避方法について説明する。
図６は、本実施形態に係る、屋内における動物忌避方法の実施態様を説明する図である。本実施形態の動物忌避方法は、動物忌避装置１０を天井Ｓに取り付けて、動物忌避装置１０により、床面Ｆに形成されるレーザー光の光照射領域ＳＰ１を変位させる方法である。なお、図６では、動物忌避装置１０を天井Ｓに取り付けた例を示したが、本実施形態の動物忌避方法は、動物忌避装置１０を壁面Ｗに取り付けて実施することもできる。
【００３７】
光源１１と回折格子１２との相対位置を変化させることにより、床面Ｆや壁面Ｗに形成された光源１１に基づく光照射領域ＳＰ１が、所定の領域内を移動することにより（図２（ａ）および図２（ｂ）参照）、室内の動物を忌避することができる。
【００３８】
図７は、屋内配置物２０に対して光を照射する動物忌避方法の実施態様を説明する図である。室内において特に動物を忌避する必要性が高い場所である飲食店の厨房には、清掃の便宜等のため、ステンレス製の調理台、カウンター、器具が用いられることが多い。動物忌避装置により、ステンレス製の屋内配置物２０に対してレーザー光Ｌを照射して位置を変化させることで、屋内配置物２０から反射された反射レーザー光ＬＲの光照射領域ＳＰ２をも変位させる。この方法によれば、屋内配置物２０の表面から反射したレーザー光ＬＲが壁面Ｗや天井Ｓにも到達して、レーザー光Ｌの照射領域ＳＰ１と同時に照射領域ＳＰ２を変位させることができる。光照射領域ＳＰ１・ＳＰ２が屋内配置物２０の表面や床面Ｆや壁面Ｗや天井Ｓを移動すると、忌避対象動物は、パニック状態に陥る。しかも、床面Ｆだけでなく、壁面Ｗや天井Ｓにも光照射領域ＳＰ１・ＳＰ２が形成されると、忌避対象動物は逃げ道を断たれたと認識し、さらに錯乱状態になる。このため、通常であれば容易に回避可能な粘着型の動物捕獲装置に捕獲されることもある。
【００３９】
屋内で使用する場合、屋内から屋外への移動のみが可能とされた扉ＤＲが壁面Ｗに設けられていてもよい。この場合には、動物忌避装置１０Ｂが作動している間に、動物はこの扉ＤＲから屋外に逃げ出すことができ、動物の捕獲の手間が不要となる。このように、動物忌避装置１０、１０Ａ、１０Ｂと屋内から屋外への移動のみが可能とされた扉ＤＲとにより、屋内動物排除装置を構成すれば、屋内の動物を効率的に排除することができる。
【００４０】
上述の実施形態では、主に動物忌避装置を屋内において用いる態様について説明したが、動物忌避装置は屋外において使用することも可能である。
【００４１】
上記に本発明の各実施形態を説明したが、本発明はこれらの例に限定されるものではない。前述の実施形態に対して、当業者が適宜、構成要素の追加、削除、設計変更を行ったものや、各実施形態の構成例の特徴を適宜組み合わせたものも、本発明の要旨を備えている限り、本発明の範囲に含有される。
【符号の説明】
【００４２】
１０、１０Ａ、１０Ｂ：動物忌避装置
１１、１１Ａ、１１Ｂ：光源
１２  ：回折格子
１２Ａ  ：第１の回折格子
１２Ｂ  ：第２の回折格子
１３    ：板状部材
１４    ：回転機構
１５    ：本体
１６    ：取付部材
２０    ：屋内配置物
Ｌ    ：レーザー光
ＬＲ  ：反射レーザー光
ＳＰ１、ＳＰ２：光照射領域
Ｆ      ：床面
Ｓ      ：天井
Ｗ      ：壁面
Ａｘ    ：光軸
【要約】
【課題】  小型化に適した、集光部からの光の光照射領域を変位させる新たな機構を備えた動物が忌避する装置である動物忌避装置および動物忌避方法を提供すること。
【解決手段】動物忌避装置１０は、レーザー光Ｌを照射する光源１１と、光源１１から放射されたレーザー光Ｌの進行方向を変化させる回折格子１２と、回折格子１２の光源１１に対する相対位置を変化させることにより、回折格子１２を通過したレーザー光Ｌの光照射領域ＳＰ１を照射対象である床面Ｆにおける位置を変化させる。
【選択図】図１【図１】
0006684506.tif 000002
【図２】
0006684506.tif 000003
【図３】
0006684506.tif 000004
【図４】
0006684506.tif 000005
【図５】
0006684506.tif 000006
【図６】
0006684506.tif 000007
【図７】
0006684506.tif 000008